(57)【要約】 【課題】  向上した輝度とコントラスト比を備えるプラズマディスプレイパネルの構造を提供する。【解決手段】  前面基板、背面基板、前記前面基板と前記背面基板の間に、隔壁で区切られることにより形成され、少なくとも一色の光を放射するために構成される発光層を含む複数のディスプレイセル、前記複数のディスプレイセルの少なくとも一つに接続される複数の表示電極、前記複数のディスプレイセルの少なくとも一つに接続される複数のアドレス電極、前記複数のディスプレイセルのセル境界領域に対応する位置を実質的に覆う少なくとも一つの遮光層、を含むディスプレイパネルである。ここで、ディスプレイセルは、前面基板と前記背面基板の間で、デルタ構造に基づいて区切られて形成されているものが好ましい。【選択図】  図２Ａ
2005142154.tif 000002
【特許請求の範囲】
【請求項１】
前面基板、
背面基板、
前記前面基板と前記背面基板の間に、隔壁で区切られることにより形成され、少なくとも一色の光を放射するために構成される発光層を含む複数のディスプレイセル、
前記複数のディスプレイセルの少なくとも一つに接続される複数の表示電極、
前記複数のディスプレイセルの少なくとも一つに接続される複数のアドレス電極、
前記複数のディスプレイセルのセル境界領域に対応する位置を実質的に覆う少なくとも一つの遮光層、
を含むディスプレイパネル。
【請求項２】
ディスプレイセルは、前面基板と前記背面基板の間で、デルタ構造に基づいて配置されている請求項１に記載のディスプレイパネル。
【請求項３】
遮光層は、複数のディスプレイセルの境界領域を実質的に囲み、網状に形成されている請求項１又は請求項２に記載のディスプレイパネル。
【請求項４】
遮光層は、少なくとも一つのディスプレイセルのセル境界領域で実質的に除かれるように構成されている請求項１又は請求項２に記載のディスプレイパネル。
【請求項５】
遮光層は、第一の色の光を放射するために構成された発光層を含む第一のディスプレイセルに接触するセル境界領域で第一の幅を有するように形成されると共に、前記第一色の光を放射するために構成された発光層を含む第一のディスプレイセルに接触しないセル境界領域に第二の幅を有するように構成されており、前記第二の幅は、前記第一の幅より大きくなるようになっている請求項１又は請求項２に記載のディスプレイパネル。
【請求項６】
遮光層は、少なくとも一つの選択した色の光を放射するために構成された発光層を含むディスプレイセルのセル境界領域で実質的に除かれるように構成されている請求項１又は請求項２に記載のディスプレイパネル。
【請求項７】
遮光層は、選択した色の光を放射するために構成された発光層を含む第一のディスプレイセルに接触するセル境界領域で第一の幅を有するように形成されると共に、前記選択した光を放射するために構成された発光層を含む第一のディスプレイセルに接触しないセル境界領域に第二の幅を有するように構成されており、前記第二の幅は、前記第の一幅より大きくなるようになっている請求項６記載のディスプレイパネル。
【請求項８】
遮光層は、複数の表示電極で重複されていない複数のディスプレイセルのセル境界領域に形成されている請求項１〜請求項７のいずれか１項に記載のディスプレイパネル。
【請求項９】
遮光層は、少なくとも一つの黒色顔料を含むフォトレジスト材料で構成されている請求項１〜請求項８のいずれか１項に記載のディスプレイパネル。
【請求項１０】
隔壁の表面に遮光層が形成されている請求項１〜請求項９のいずれか１項に記載のディスプレイパネル。
【請求項１１】
前面基板の外面に遮光層が形成される請求項１〜請求項１０のいずれか１項に記載のディスプレイパネル。
【請求項１２】
前面基板の内面を覆う誘電体層を備え、前記誘電体層の中に遮光層が形成されている請求項１〜請求項１１のいずれか１項に記載のディスプレイパネル。
【請求項１３】
遮光層が、隔壁に黒色顔料を含むことによって形成される請求項１〜請求項１２のいずれか１項に記載のディスプレイパネル。
【請求項１４】
複数のディスプレイセルは、六角形のディスプレイセルを含む請求項１〜請求項１３のいずれか１項に記載のディスプレイパネル。
【請求項１５】
複数のディスプレイセルによって放射された色の光に対応する複数のカラーフィルターを前面基板の外面に備える請求項１〜請求項１４のいずれか１項に記載のディスプレイパネル。
【発明の詳細な説明】
【技術分野】
【０００１】
本発明は、プラズマディスプレイパネルに関し、特に、輝度とコントラスト比が向上されたプラズマディスプレイパネルに関するものである。
【背景技術】
【０００２】
プラズマディスプレイパネルは、大型スクリーンディスプレイとして一般的に用いられている。特に、プラズマディスプレイパネルは、フラット画面で、ブラウン管ディスプレイ装置に比べ、より高品質の画像を提供することができる。プラズマディスプレイパネルは、放電ガスで封入されたディスプレイセルを含む。各ディスプレイセルは、通常、リンを含む材料でできた発光層でコーティングされる。プラズマディスプレイパネルに画像を映し出させるために電気バイアスが供給され、一つ、又は一つ以上のディスプレイセルを選択する。電気バイアスを受けて、選択されたディスプレイセルの中の放電ガスは、紫外光を放射する。紫外光が選択されたディスプレイセルの発光層に当たったとき、発光層は、カラーの可視光を作り出す。可視光の色は、発光層のリンを含む材料の成分によって決まる。
【０００３】
図１Ａは、従来のプラズマディスプレイパネル１００の構造（特許文献１参照）を示している。プラズマディスプレイパネル１００は、前面ガラス基板１１０と背面ガラス基板１１２を含む。プラズマディスプレイパネル１００は、更に、隔壁１２９によって形成されたディスプレイセル１３０を含む。ディスプレイセル１３０は、マトリクス構造に配置され、各ディスプレイセル１３０の境界領域は、隣接するディスプレイセルの境界領域と実質的に一列に並んでいる。ディスプレイセル１３０は、放電空間１１４を含む。一対の表示電極１２２ａと１２２ｂ、及びアドレス電極１１８は、各ディスプレイセルに接続される。アドレス電極１１８は、直角にそれぞれ一対の表示電極１２２ａと１２２ｂに交差する。
【０００４】
ディスプレイセル１３０は、ストライプの蛍光体層１１６でコーティングされ、既定色の光を発するために構成される。放電空間１１４は、放電ガスで封入される。電気バイアスが、選択されたディスプレイセル１３０に供給されるとき、選択されたディスプレイセルの中の放電ガスは、紫外光を放射する。紫外光が選択されたディスプレイセル１３０の蛍光体層１１６に当たった時、蛍光体層１１６は、既定色の可視光を放射する。
【０００５】
【特許文献１】米国特許第５９５２７８２号公報
【発明の開示】
【発明が解決しようとする課題】
【０００６】
図１Ｂは、図１Ａで描かれた軸１Ｂに沿ったプラズマディスプレイパネル１００の断面図である。空間１２６は、一対の表示電極の間に定義される。ガス放電は、空間１２６では生じない。遮光層１２８は、通常、空間１２６に設置され、プラズマディスプレイパネル１００のコントラスト比を高める。各ディスプレイセルの境界領域が隣接するディスプレイセルの境界領域と実質的に一列に並んでいることから、一つのディスプレイセルからの光は、隣接するディスプレイセルへ漏れ、プラズマディスプレイパネル１００の全体的な輝度とコントラスト比に悪影響を与える。
【０００７】
そこで、本発明は、輝度とコントラスト比が向上されたプラズマディスプレイパネルの構造を提供する。
【課題を解決するための手段】
【０００８】
本発明は、輝度とディスプレイコントラスト比を向上させるために構成されたプラズマディスプレイパネルの構造に関するものである。一つの実施例では、プラズマディスプレイパネルのディスプレイセルは、デルタ構造に配置されている。ディスプレイセルのデルタ構造は、ディスプレイセルの境界領域周囲の遮光層のコーティングを容易にし、プラズマディスプレイパネルの輝度とコントラスト比を向上させる。デルタ構造のディスプレイセルの境界領域が実質的に相互に一列に並ばないことから、デルタ構造の遮光層は、従来のマトリクスに基づいたプラズマディスプレイパネルの遮光層より、実質的により多くの光を吸収する。
【０００９】
また、いくつかの実施例では、遮光層は、一つ、又は一つ以上の選択された色のディスプレイセルを選択的に除くように構成することができ、プラズマディスプレイパネルの色温度を向上させることができる。色温度は、一般的に、プラズマディスプレイパネルの赤み、又は青さを特徴付ける。例えば、仮に、アプリケーションが青といった一色について向上した輝度を求めた場合、青のディスプレイセルは、遮光層を除くことができ、他の色（例えば、赤と緑）の輝度に比べ、プラズマディスプレイパネルに青の輝度の向上をもたらす。同様に、所定の色のコンビネーションを構成するディスプレイセルから遮光層を除いて構成することができ、プラズマディスプレイパネルに望ましいカラーバランスを提供する。
【発明の効果】
【００１０】
本発明のデルタ構造に配置されたディスプレイセルによれば、ディスプレイセルの境界領域が実質的に相互に一列に並ばないことから、遮光層は、より多くの光を吸収し、輝度とコントラスト比を向上させることができる。
【発明を実施するための最良の形態】
【００１１】
本発明についての目的、特徴、長所が一層明確に理解されるよう、以下に実施形態を例示し、図面を参照にしながら、詳細に説明する。
【００１２】
図２Ａは、デルタ構造に配置したディスプレイセル２１４を備えた模範的なプラズマディスプレイパネル２００の斜視図である。プラズマディスプレイパネル２００は、前面基板２１０と背面基板２１２を含む。本実施例では、前面基板２１０と背面基板２１２は、ガラス製である。前面基板２１０と背面基板２１２は、ディスプレイセル２１４を形成する。ディスプレイセル２１４は、隔壁２１６によって区切られている。各ディスプレイセル２１４は、少なくとも一つの表示電極２２４と一つのアドレス電極２２２に接続されている。ガス放電空間２１８は、各ディスプレイセル２１４に形成されている。各ディスプレイセル２１４の内表面は、発光層２２０で覆われている。発光層２２０は、リンを含む材料からなることができる。誘電体層２２８は、前面基板２１０からディスプレイセル２１４を切り離す。
【００１３】
図２Ｂは、図２Ａのプラズマディスプレイパネル２００の内部構造を示す斜視図である。ガス放電空間２１８は、放電ガスで封入されている。本実施例では、発光層２２０は、赤、緑又は青色の光を放射するために構成される。発光層２２０によって放射された光の色は、リンを含む材料の成分によって決まる。表示電極２２４は、前面基板２１０の内表面を覆って形成される。各表示電極２２４は、ディスプレイセル２１４の列と交互している。誘電体層２２８は、前面基板２１０の内表面を覆っている表示電極２２４を覆う（図示せず）。アドレス電極２２２は、発光層２２０下の背面基板２１２の内表面に構成される。遮光層２３０は、各ディスプレイセル２１４の境界領域に形成される。遮光層２３０は、光を吸収するために構成される。遮光層２３０は、黒色顔料を含んだ焼成したフォトレジスト材料を用いて構成することができる。
【００１４】
図２Ｃは、隔壁２１６の表面を覆う遮光層２３０を備えた模範的なプラズマディスプレイパネル２００の断面図である。本実施例では、誘電体層２２８は、二つの層、誘電体層２２８ａと保護層２２８ｂを含む。誘電体層２２８ａは、誘導体材料を用いて構成される。保護層２２８ｂは、放電ガスを活性化させるために生成された放電から誘電体層２２８ａを保護するために構成される。本実施例では、保護層２２８ｂは、酸化マグネシウム（ＭｇＯ）を含む。プラズマディスプレイパネル２００の動作中、ディスプレイセル２１４は、選択されたディスプレイセル２１４に対応するアドレス電極２２２と表示電極２２４の間に電圧を供給することによって選ばれる。続いて、駆動電圧が二つの電極の間に供給され、選択されたディスプレイセル２１４の上を覆う誘電体層２２８の表面に放電を作る。
【００１５】
放電は、選択されたディスプレイセル２１４の放電空間２１８内の放電ガスを活性化する。続いて、活性化したガスは、紫外光を生成する。紫外光が選択されたディスプレイセル２１４の発光層２２０に当たった時、発光層２２０は、リンを含む材料の成分に基づいた特定色の光を放射し出す。遮光層２３０は、選択されたディスプレイセル２１４の境界領域の光を吸収し、プラズマディスプレイパネル２００のコントラスト比を向上させる。光学カラーフィルター２３２は、各ディスプレイセル２１４に対応して基板２１０に加えることができ、プラズマディスプレイパネル２００のカラーバランス、コントラスト比、輝度を更に向上させる。
【００１６】
図２Ｄは、遮光層２３０を含む模範的なプラズマディスプレイパネル２５０の断面図である。遮光層２３０は、隔壁２１６を実質的に覆う。本実施例では、遮光層２３０は、更に、プラズマディスプレイパネル２５０のコントラスト比と輝度を更に向上させる。
【００１７】
図２Ｅは、さまざまな遮光層を備えた模範的なプラズマディスプレイパネル２６０の断面図である。本実施例では、プラズマディスプレイパネル２６０は、前面基板２１０の内表面に遮光層２２６ｂを、誘電体層２２８ａの中に遮光層２２６ｃを、誘電体層２２８ａの内表面に遮光層２２６ｄを含み、及び前面基板２１０の外表面に遮光層２２６ｅを含む。遮光層２２６ｂ、２２６ｃ、２２６ｄ、及び２２６ｅは、プラズマディスプレイパネル２６０内の光反射によるコントラストの低下を防止する。
【００１８】
図３Ａは、遮光層３３０ａを備えた模範的なプラズマディスプレイパネル３００の平面図である。遮光層３３０ａは、デルタ構造に配置されたディスプレイセル３１４の境界領域を覆う。遮光層３３０ａは、ディスプレイセル３１４の境界領域を実質的に囲む網を形成する。デルタ構造のため、遮光層３３０ａは、従来のマトリクスに基づいたプラズマディスプレイパネルの遮光層より、実質的により多くの光を吸収する。遮光層３３０ａは、プラズマディスプレイパネル３００のコントラスト比を実質的に向上させる。
【００１９】
図３Ｂは、プラズマディスプレイパネル３５０の遮光層３３０ｂのもう一つの模範的なプラズマディスプレイパネルの平面図である。本実施例では、遮光層３３０ｂは、ディスプレイセル３１４の境界領域の周りに形成される。本実施例では、遮光層３３０ｂは、表示電極３２４を覆わない。
【００２０】
図３Ｃは、プラズマディスプレイパネル３７０の遮光層３３０ｃの更にもう一つの模範的な実施例の平面図である。本実施例では、遮光層３３０ｃは、ディスプレイセル３１４の境界領域の周りに形成される。遮光層３３０ｃは、隔壁空間３６０を含む。隔壁空間３６０は、隔壁の表面の上に位置される。隔壁空間３６０は、隔壁の表面と遮光層３３０ｃの間に不均一な接触を作り、ディスプレイセル３１４からのガスの排出を活性化する。
【００２１】
図３Ｄは、色選択の遮光層３３０ｄを備えた模範的なプラズマディスプレイパネル３８０の平面図である。色選択の遮光層３３０ｄは、プラズマディスプレイパネル３８０の色温度を調節するために構成される。色温度は、一般的に、プラズマディスプレイパネルの赤さ、又は青さを特徴付ける。色温度を調節するために、色選択の遮光層３３０ｄは、一つ又は一つ以上の色のディスプレイセルを除くように構成することができる。本実施例では、色選択の遮光層３３０ｄは、実質的に赤と緑のディスプレイセルを囲み、実質的に青のディスプレイセルを除くように構成される。色選択の遮光層３３０ｄは、実質的に境界領域３４２を覆い、青のディスプレイセルに接触しない。色選択の遮光層３３０ｄは、更に、実質的に境界領域３４４ａを除くように構成され、青のディスプレイセルに接触する。いくつかの実施例では、薄い色選択の遮光層を青のディスプレイセルに隣接している境界領域３４４ｂに形成することができ、更に、コントラストを向上させる。
【００２２】
図４Ａは、蜂の巣状構造の六角形ディスプレイセル４１４を含む模範的なプラズマディスプレイパネル４００の平面図である。六角形のディスプレイセル４１４は、更にプラズマディスプレイパネル４００の輝度を向上する。遮光層４３０ａは、各ディスプレイセル４１４の境界領域を実質的に覆う網を形成する。
【００２３】
図４Ｂは、プラズマディスプレイパネル４１０の模範的な色選択の遮光層４３０ｂを示している。プラズマディスプレイパネル４１０は、六角形ディスプレイセル４１４を含む。本実施例では、色選択の遮光層４３０ｂは、青のディスプレイセルに接触する境界領域を除き、赤と緑のディスプレイセルに接触する境界領域を囲むために構成される。よって、色選択の遮光層４３０ｂは、プラズマディスプレイパネル４１０の色温度を調節する。
【００２４】
図４Ｃは、六角形ディスプレイセルを備えたプラズマディスプレイパネル４５０の色選択の遮光層４３０ｃのもう一つの模範的な実施例である。本実施例では、色選択の遮光層４３０ｃの薄いコーティングは、青のディスプレイセルに接触している境界領域４４２ａの周りに形成される。色選択の遮光層４３０ｃは、プラズマディスプレイパネル４５０の色温度を調節する。
【図面の簡単な説明】
【００２５】
【図１Ａ】従来のプラズマディスプレイパネルの構造の斜視図である。
【図１Ｂ】従来のプラズマディスプレイパネルの断面図である。
【図２Ａ】デルタ構造に配置したディスプレイセルを備えた模範的なプラズマディスプレイパネルの斜視図である。
【図２Ｂ】図２Ａの模範的なプラズマディスプレイパネルの内部構造の斜視図である。
【図２Ｃ】隔壁の表面を覆う遮光層を備えた模範的なプラズマディスプレイパネルの断面図である。
【図２Ｄ】隔壁の全表面を覆う遮光層を備えた模範的なプラズマディスプレイパネルの断面図である。
【図２Ｅ】さまざまな遮光層の実施例を備えた模範的なプラズマディスプレイパネルの断面図である。
【図３Ａ】デルタ構造に配置されたディスプレイセルの境界領域を覆う遮光層を備えた模範的なプラズマディスプレイパネルの平面図である。
【図３Ｂ】プラズマディスプレイパネルの遮光層のもう一つの模範的なプラズマディスプレイパネルの平面図である。
【図３Ｃ】プラズマディスプレイパネルの遮光層の更にもう一つの模範的なプラズマディスプレイパネルの平面図である。
【図３Ｄ】デルタ構造に配置されたディスプレイセルの色選択の遮光層を備えた模範的なプラズマディスプレイパネルの平面図である。
【図４Ａ】六角形ディスプレイセルを覆う遮光層を含む模範的なプラズマディスプレイパネルの平面図である。
【図４Ｂ】六角形ディスプレイセルを備えたプラズマディスプレイパネルの色選択の遮光層の模範的な実施例を示している。
【図４Ｃ】六角形ディスプレイセルを備えたプラズマディスプレイパネルの色選択の遮光層のもう一つの模範的な実施例である。
【符号の説明】
【００２６】
１００  プラズマディスプレイパネル
１１０  前面ガラス基板
１１２  背面ガラス基板
１１４  放電空間
１１６  蛍光体層
１１８  アドレス電極
１２６  空間
１２８  遮光層
１２９  隔壁
１２２ａ、１２２ｂ  表示電極
１３０  ディスプレイセル
２００  プラズマディスプレイパネル
２１０  前面基板
２１２  背面基板
２１４  ディスプレイセル
２１６  隔壁
２１８  ガス放電空間
２２０  発光層
２２２  アドレス電極
２２４  表示電極
２２６ｂ〜ｅ  遮光層
２２８  誘電体層
２２８ａ  誘電体層
２２８ｂ  保護層
２３０  遮光層
２３２  カラーフィルター
２５０、２６０  プラズマディスプレイパネル
３００  プラズマディスプレイパネル
３１４  ディスプレイセル
３２４  表示電極
３３０ａ、３３０ｂ、３３０ｃ  遮光層
３３０ｄ  色選択の遮光層
３４２  境界領域
３４４ａ、３４４ｂ  境界領域
３５０  プラズマディスプレイパネル
３６０  隔壁
３７０  プラズマディスプレイパネル
３８０  プラズマディスプレイパネル
４００  プラズマディスプレイパネル
４１０  プラズマディスプレイパネル
４１４  六角形ディスプレイセル
４３０ａ、４３０ｂ、４３０ｃ  遮光層
４４２ａ、４４２ｂ  境界領域
４５０  プラズマディスプレイパネル
【図１Ａ】
2005142154.tif 000003
【図１Ｂ】
2005142154.tif 000004
【図２Ａ】
2005142154.tif 000005
【図２Ｂ】
2005142154.tif 000006
【図２Ｃ】
2005142154.tif 000007
【図２Ｄ】
2005142154.tif 000008
【図２Ｅ】
2005142154.tif 000009
【図３Ａ】
2005142154.tif 000010
【図３Ｂ】
2005142154.tif 000011
【図３Ｃ】
2005142154.tif 000012
【図３Ｄ】
2005142154.tif 000013
【図４Ａ】
2005142154.tif 000014
【図４Ｂ】
2005142154.tif 000015
【図４Ｃ】
2005142154.tif 000016